(57)【要約】【課題】保炎性がよく、かつあふれた煮汁等による燃焼影響が少ないバーナおよびこれを用いたコンロを提供することを目的とするものである。【解決手段】バーナ本体１と、炎口板７および煮零れ案内体１７とからなり、炎口板７は、内側面を傾斜させて燃焼面１２とし、煮零れ案内体１７は、外端部１９で炎口板７の燃焼面１２の一部を閉塞するとともに炎口板７の内周部１６を固定し、煮零れ案内体１７と炎口板７をバーナ本体１の混合室５に気密状態に取り付けたことにより、煮零れ案内体１７の作用により燃料予混合気の滞留を発生させ、保炎性を良好にするとともに、あふれた煮汁等があっても煮零れ案内体１７で燃焼面１２の一部を閉塞していることで侵入を抑制し、燃焼への影響を少なくすることができる。【選択図】  図１
2004150694.tif 000002
【特許請求の範囲】
【請求項１】
環状の混合室と中央の二次空気通路を有するバーナ本体と、このバーナ本体の混合室上に載置した、炎口板およびその内側の煮零れ案内体からなるバーナキャップとからなり、前記炎口板は、その内側面を上方から下方にかけて内周方向に傾斜させて燃焼面とし、前記煮零れ案内体は、その外端部で炎口板の燃焼面の一部を閉塞するとともに炎口板の内周部を固定し、煮零れ案内体の外周部とバ−ナ本体の混合室の内周部、炎口板の外周部側と混合室の外周部をそれぞれ気密状態に取り付けたバ−ナ。
【請求項２】
煮零れ案内体の外周部に固定リングを設け、この固定リングに炎口板の内周部の端部を当接させて煮零れ案内体と炎口板を固定した請求項１に記載のバーナ。
【請求項３】
煮零れ案内体の外周部に炎口板の内周部を圧入して煮零れ案内体と炎口板を固定した請求項１または２に記載のバーナ。
【請求項４】
煮零れ案内体と炎口板の内周部間にガタを持たせて固定した請求項２に記載のバ−ナ。
【請求項５】
煮零れ案内体の外周部と炎口板の内周部のいずれかに凸部を設け他方に凹部を設け、凸部と凹部の嵌合により煮零れ案内体と炎口板を固定した請求項１〜３のいずれか１項に記載のバーナ。
【請求項６】
請求項１〜５のいずれか１項に記載のバーナを備えたコンロ。
【発明の詳細な説明】
【０００１】
【発明の属する技術分野】
本発明は、バーナ本体とバーナキャップからなるバーナおよびこれを用いたコンロに関し、保炎性がよく、かつあふれた煮汁等に燃焼が影響されにくいようにしたものである。
【０００２】
【従来の技術】
従来、バーナをバーナ本体とバーナキャップから構成し、炎をバーナの中心に向かうようにして、被加熱物である鍋の把手およびコンロ本体が加熱されないようにしたものが知られている（例えば、特許文献１参照）。
【０００３】
【特許文献１】
特開平９−１５９１１９号公報
【０００４】
【発明が解決しようとする課題】
しかしながら、前記従来のバーナは、バーナ本体にバーナキャップが嵌合されているにすぎず、保炎性をよくすることや、あふれた煮汁等により燃焼が影響されないようにするための工夫がなされておらず、燃焼が不安定であり、かつあふれた煮汁等の影響をもろに受けるものである。
【０００５】
本発明は、前記従来の課題を解決するもので、保炎性がよく、かつあふれた煮汁等により燃焼が影響されにくいようにしたバーナおよびこれを用いたコンロを提供することを目的とするものである。
【０００６】
【課題を解決するための手段】
前記目的を達成するために、本発明のバーナおよびこれを用いたコンロは、バーナ本体と、炎口板およびその内側の煮零れ案内体からなるバーナキャップとからなり、前記炎口板は、その内側面を上方から下方にかけて内周方向に傾斜させて燃焼面とし、前記煮零れ案内体は、その外端部で炎口板の燃焼面の一部を閉塞するとともに炎口板の内周部を固定し、煮零れ案内体の外周部とバ−ナ本体の混合室の内周部、炎口板の外周部側と混合室の外周部をそれぞれ気密状態に取り付けたものである。
【０００７】
これにより、煮零れ案内体の作用で炎口板の上方で燃料予混合気の滞留が発生するため、保炎性が良好になり、高燃焼量から低燃焼量まで安定燃焼が確保できるとともに、あふれた煮汁等があっても煮零れ案内体で燃焼面の一部を閉塞していることで燃焼面への侵入を抑制し、燃焼への影響を少なくすることができる。
【０００８】
【発明の実施の形態】
請求項１に記載の発明は、環状の混合室と中央の二次空気通路を有するバーナ本体と、このバーナ本体の混合室上に載置した、炎口板およびその内側の煮零れ案内体からなるバーナキャップとからなり、前記炎口板は、その内側面を上方から下方にかけて内周方向に傾斜させて燃焼面とし、前記煮零れ案内体は、その外端部で炎口板の燃焼面の一部を閉塞するとともに炎口板の内周部を固定し、煮零れ案内体の外周部とバ−ナ本体の混合室の内周部、炎口板の外周部側と混合室の外周部をそれぞれ気密状態に取り付けたバ−ナとしたことにより、煮零れ案内体の作用で炎口板の上方で燃料予混合気の滞留が発生するため、保炎性が良好になり、高燃焼量から低燃焼量まで安定燃焼が確保できるとともに、あふれた煮汁等があっても煮零れ案内体により燃焼面の一部を閉塞していることで燃焼面への侵入を抑制し、燃焼への影響を少なくすることができる。
【０００９】
請求項２に記載の発明は、煮零れ案内体の外周部に固定リングを設け、この固定リングに炎口板の内周部の端部を当接させて煮零れ案内体と炎口板を固定した請求項１に記載のバーナとしたことにより、例えば、煮零れ案内体を剛体で作り（鍛造品、押し出し成形品等）、炎口板を板金で作り、両者を合体することで機械的強度の高いバ−ナができる。また、煮零れ案内体と炎口板を別物で構成したことにより、煮零れ案内体には低温での耐腐食性能の高い材料、炎口板には高温での耐腐食性能の高い材料を使用することができ、バ−ナの煮汁等による腐食に対する対する寿命を飛躍的に向上することができる。
【００１０】
請求項３に記載の発明は、煮零れ案内体の外周部に炎口板の内周部を圧入して煮零れ案内体と炎口板を固定した請求項１または２に記載のバーナとしたことにより、煮零れ案内体と炎口板の固定に特別な部材が不要であり、廉価なバ−ナが提供できる。
【００１１】
請求項４に記載の発明は、煮零れ案内体の外周部と炎口板の内周部間にガタを持たせて固定した請求項２に記載のバ−ナとしたことにより、煮零れ案内体の外周部とバ−ナ本体の混合室の内周部、炎口板の外周部側と混合室の外周部の軸心が多少ズレていても、ガタによって互いにズレあって、両気密嵌合部は嵌合しあって取り付けられ、混合室からの混合気の漏れを防止できる。
【００１２】
請求項５に記載の発明は、煮零れ案内体の外周部と炎口板の内周部のいずれかに凸部を設け他方に凹部を設け、凸部と凹部の嵌合により煮零れ案内体と炎口板を固定した請求項１〜３のいずれか１項に記載のバーナとしたことにより、炎口板と煮零れ案内体の両者が外力によって回転したりすることがなく、両者間の位置関係は確実に確保でき、適正な燃焼が行える。
【００１３】
請求項６に記載の発明は、請求項１〜５のいずれか１項に記載のバーナを備えたコンロとしたことにより、保炎性が良好で、高燃焼量から低燃焼量まで安定燃焼が確保できるとともに、あふれた煮汁等があっても燃焼への影響が少ないコンロが提供できる。
【００１４】
【実施例】
以下、本発明の実施例について図面を用いて説明する。
【００１５】
（実施例１）
図１、図２は本発明の実施例１におけるバーナを示すものである。
【００１６】
図において、１はバーナ本体で、燃料予混合ガスの混合管部２と、内周部３と外周部４間に形成した環状の混合室５とを一体で構成している。内周部３で囲まれた中央部の空間は貫通した二次空気通路６となっている。７は断面形状が略円錐台形状をしたリング状の炎口板で、中央に二次空気通路６と対応する開口部８がある。炎口板７は、その内側面を上方から下方にかけて内周方向に傾斜させて燃焼面１２としている。燃焼面１２は、傾斜面に長スリット孔９と短スリット孔１０を放射状に分散配置した炎口部１１を設けて形成している。これは、長スリット孔９で形成される火炎同士の干渉を、短スリット孔１０で形成される火炎で抑制して火炎を分割し、全体として短炎化を実現するためである。
【００１７】
１３は上端部１５を炎口板７の燃焼面１２に庇状に臨ませて炎口板７の外周部２２を固定した環状の煮零れ防止体で、この実施例では炎口板７と一体化している。この状態では、煮零れ防止体１３が炎口板７の上端部１４に載置されたような形となっている。煮零れ防止体１３の上端部１５の内径は、炎口板７の内周部１６の内径と同等あるいは１〜２ｍｍ程度大きくし、炎口板７の燃焼面１２に庇状に臨ませて燃焼面１２の一部を上方から見て塞ぐようにしている。
【００１８】
１７は炎口板７の内側に設けた環状の煮零れ案内体で、中央に二次空気供給孔１８を有するとともに、外端部１９で炎口板７の燃焼面１２の下端一部、すなわち長スリット孔９の下端を閉塞するものである。そして、煮零れ案内体１７の外周部２０には炎口板７の内周部１６を固定している。
【００１９】
前記した炎口板７、煮零れ防止体１３、および煮零れ案内体１７は、バーナ本体１の混合室５上に載置したバーナキャップ２０を構成しているものであり、煮零れ案内体１７の外周部２１の外側と混合室５の内周部３の内側、炎口板７の外周部側、すなわち煮零れ防止体１３の外周部２３の内側と混合室５の外周部４の外側をそれぞれ気密状態に嵌合させて取り付けている。これにより、バーナ本体１とバーナキャップ１７が一体化されバーナを構成している。
【００２０】
なお、本実施例では、バーナキャップ２０として、炎口板７、煮零れ防止体１３、および煮零れ案内体１７の３部品で構成されているが、煮零れ防止体１３を省き、炎口板７と煮零れ案内体１７の２部品で構成することができるものであり、この場合は、炎口板７の外周部を下方に延長して混合室５の外周部４に気密に取り付けることになる。
【００２１】
次に動作、作用について説明すると、燃料予混合ガスは混合管部２を通じて吸引され、混合室５内に均一に拡散し、炎口部１１で火炎を形成する。この時、炎口部１１で形成される火炎は、燃焼面１２の傾斜面に沿って斜め上方に発生するが、バーナキャップ２０の周囲から供給される二次空気と、バーナ本体１およびバーナキャップ２０の炎口板７で構成された二次空気通路６、二次空気供給孔１８を通じて上昇気流となって流入する二次空気とによって挟まれることにより、燃焼面１２近傍で燃焼促進されて高温火炎となり、同時に直上方向に向くようになる。また、煮零れ防止体１３の上端部１５の下部と炎口板７の上部の間では、煮零れ防止体１３に衝突して発生する外向きの燃料予混合気の流れと、燃焼面１２を通過する上向きの燃料予混合気の流れが衝突し、煮零れ防止体１３と炎口板７の上端の間で燃料予混合気の滞留が発生する。また、煮零れ案内体１７は燃焼面１２の下端一部、すなわち長スリット孔９の一部を閉塞しているため、ここに衝突して発生する燃料予混合気の流れによっても、燃料予混合気の滞留が発生する。このため、保炎性が良好になり、吹き飛びを起こしやすいガスにおいても安定した燃焼炎が形成されることになる。
【００２２】
また、低燃焼量においては、保炎性が高まることにより、滅火現象（燃焼炎が吹き飛び、吹き消え等で消滅する現象）を防止することができる。したがって、高燃焼量から低燃焼量の広い範囲で直上方向へ火炎を集中させることができ、熱放散を防止できる。このため、効率の良い熱伝達と幅広い火力可変範囲を有する調理器用のバーナが実現できる。
【００２３】
（実施例２）
次に、本発明の実施例２におけるバーナについて、図１に基づいて説明する。基本構成は実施例１と同じであるので、異なる点についてのみ説明する。
【００２４】
本実施例では、煮零れ案内体１７の外周部２１の外側に、凹状の溝２４を設けており、ここに、溝２４の外径に比較して大きい外径で、内径は炎口板７の内周部１６より小さい内径を有した線材状のバネ性を有した固定リング２５を嵌合している。この固定リング２５には、煮零れ案内体１７と炎口板７が一体化された際、炎口板７の内周部１６の端部２６が当接し煮零れ案内体１７と炎口板７を固定するようになっている。
【００２５】
なお、本実施例では、煮零れ防止体１３の外周部２３の内側と炎口板７の外周部２２間も、上記と同様に、溝２７と固定リング２８で固定されている。
【００２６】
次に動作、作用について説明すると、炎口板７と煮零れ案内体１７は、両者の嵌合と固定リング２５により確実に固定され、両者は分離することがない。煮零れ防止体１３と炎口板７も同様である。そして、例えば、煮零れ案内体１７（および煮零れ防止体１３）を剛体で作り（鍛造品、押し出し成形品等）、炎口板７を板金で作り、両者を合体することで機械的強度の高いバ−ナができる。また、煮零れ案内体１７（および煮零れ防止体１３）と炎口板７を別物で構成したことにより、煮零れ案内体１７（および煮零れ防止体１３）には低温での耐腐食性能の高い材料、炎口板７には高温での耐腐食性能の高い材料を使用することができ、バ−ナの煮汁等による腐食に対する対する寿命を飛躍的に向上することができる。さらに、実施例１と同様の燃焼性能の向上と、煮零れ防止性能の向上がはかれるものである。
【００２７】
（実施例３）
次に、本発明の実施例３におけるバーナについて、図１に基づいて説明する。基本構成は実施例１と同じであるので、異なる点についてのみ説明する。
【００２８】
本実施例では、煮零れ案内体１７の外周部２１に炎口板７の内周部１６を圧入して煮零れ案内体１７と炎口板７を固定したものである。当然のことではあるが、煮零れ案内体１７の外周部２１と、炎口板７の内周部１６との径の大きさが配慮され、圧入により煮零れ案内体１７と炎口板７はきっちりと固定されるようになっている。なお、煮零れ防止体１３と炎口板７間も同様である。
【００２９】
次に動作、作用について説明すると、炎口板７と煮零れ案内体１７は確実に固定され、両者は分離することがない。そして、この場合は、実施例２のような固定リング２５が不要になるために、廉価なバ−ナが提供でき、さらには、実施例１と同様の燃焼性能の向上と、煮零れ防止性能の向上がはかれる。
【００３０】
（実施例４）
次に、本発明の実施例４におけるバーナについて、図１に基づいて説明する。基本構成は実施例１と同じであるので、異なる点についてのみ説明する。
【００３１】
本実施例では、煮零れ案内体１７の外周部２１と炎口板７の内周部１６間にガタを持たせて固定し、煮零れ案内体１７の外周部２１とバ−ナ本体１の混合室５の内周部３、炎口板７の外周部側と混合室５の外周部４をそれぞれ気密状態に取り付けたものである。煮零れ防止体１３と炎口板７間も同様にガタを持たせて固定している。
【００３２】
次に動作、作用について説明すると、煮零れ案内体１７の外周部２１とバ−ナ本体１の混合室５の内周部３、炎口板７の外周部側（実施例では煮零れ防止体１３の外周部２３）と混合室５の外周部４の軸心が多少ズレていても、ガタによって互いにズレあって、両気密嵌合部は嵌合しあって取り付けられ、混合室５からの混合気の漏れを防止できる。
【００３３】
また、気密嵌合は、炎口板７側とバーナ本体１間と、煮零れ案内体１７とバ−ナ本体１間で確保するために、両気密嵌合部が異なる構成部品である。従って、必要な気密嵌合状態を得るための加工精度は、気密嵌合部の両物間の隙間のみが要求され、隙間と平面度の両方が要求されないので、物づくりが容易で安価なバ−ナを提供することができる。しかも、両気密嵌合部は、隙間で管理されているために隙間以上の異物の噛み込みもなく、気密嵌合状態が安定して確保、維持できるために、安全なバ−ナおよび安全な調理器が提供できる。
【００３４】
（実施例５）
次に、本発明の実施例５におけるバーナについて、図３に基づいて説明する。基本構成は実施例１と同じであるので、異なる点についてのみ説明する。
【００３５】
本実施例では、煮零れ案内体１７の外周部２１と炎口板７の内周部１６のいずれかに凸部２９を設け他方に凹部３０を設け、凸部２９と凹部３０の嵌合により煮零れ案内体１７と炎口板７を固定したものである。本実施例では凸部２９を炎口板７の内周部１６に、凹部３０を煮零れ案内体１７の外周部２１に設けているが、逆に設けてもよいものである。なお、煮零れ防止体１３と炎口板７間も同様に凹凸の嵌合により固定してもよいものである。
【００３６】
次に動作、作用について説明すると、炎口板７と煮零れ案内体１７が凸部２９と凹部３０の嵌合であるため、炎口板７と煮零れ案内体１７の両者が外力によって回転したりすることのないように固定され、両者間の位置関係は確実に確保できる。煮零れ防止体１３と炎口板７間も同様である。そして、実施例１と同様、燃焼性能の向上、あいは煮零れ防止性能の向上等がはかれる。
【００３７】
（実施例６）
次に、本発明の実施例６におけるバーナについて、図１に基づいて説明する。バーナの基本構成は実施例１〜５と同じであるので、異なる点についてのみ説明する。
【００３８】
本実施例は、実施例１〜５のいずれかのバーナを用いたコンロ３１にポイントがある。
【００３９】
コンロ３１は、天板３２のコンロ開口部３３に、中央にバーナ開口部３４を設けた汁受け皿３５を載置し、バーナ開口部３４に各実施例に示したバーナを臨ませ、汁受け皿３５の外周近傍には、被加熱物である鍋３６を載置するゴトク３７を設けたものである。ここで、図示していないが、ゴトク３７は、バーナの燃焼面に設けた短スリット孔１０群の上部に対応する位置に配置したものである。
【００４０】
次に動作、作用について説明すると、ゴトク３７上に鍋３６を載置して調理を行う場合、実施例１で説明したように、バーナの燃焼面１２で形成される火炎は短炎化されており、鍋３６とバーナとの距離を短くしてもＣＯ等が発生しにくく、同時に燃焼面１２の炎口部１１の内、短スリット孔１０群の直上に、ゴトク３７が位置するため、ゴトク３７が火炎に強くあぶられることがないため、ゴトク３７の火炎による破壊と熱ロスを抑制できることにより、低ＣＯ燃焼と高い熱効率を実現できる。さらに低燃焼量においては、保炎性が高くかつ小火炎となるため、低火力で調理する場合に適した状態を実現できる。したがって、高燃焼量から低燃焼量まで、高効率かつ安定燃焼が実現でき、調理性能に優れた調理器を提供することができる。さらに、鍋３から煮零れが発生した場合は、煮零れ防止体１３によって、直下の炎口部１１内に煮汁が落下することを防止できることは既に説明したとおりであるが、煮零れ案内体１７の外端部１９で炎口板７の燃焼面１２の下端一部、すなわち長スリット孔９の下端を閉塞するものであるため、煮零れの燃焼面１２への侵入を抑制し、燃焼への影響を少なくすることができる。
【００４１】
【発明の効果】
以上のように、本発明のバーナおよびこれを用いたコンロによれば、煮零れ案内体の作用で炎口板の上方で燃料予混合気の滞留が発生するため、保炎性が良好になり、高燃焼量から低燃焼量まで安定燃焼が確保できるとともに、あふれた煮汁等があっても煮零れ案内体で燃焼面の一部を閉塞していることで燃焼面への侵入を抑制し、燃焼への影響を少なくすることができる。
【図面の簡単な説明】
【図１】本発明の実施例１〜３、６におけるバーナおよびコンロの部分断面図
【図２】同バーナの平面図
【図３】本発明の実施例５におけるバーナの要部を示す部分断面図
【符号の説明】
１  バーナ本体
３  混合室の内周部
４  混合室の外周部
５  混合室
６  二次空気通路
７  炎口板
９  長スリット孔
１０  短スリット孔
１１  炎口部
１２  燃焼面
１６  炎口板の内周部
１７  煮零れ案内体
２０  バーナキャップ
２１  煮零れ案内体の外周部
２２  炎口板の外周部
２５  固定リング
２９  凸部
３０  凹部
３１  コンロ
【図１】
2004150694.tif 000003
【図２】
2004150694.tif 000004
【図３】
2004150694.tif 000005